(57)【要約】【課題】妨害信号による誤動作の抑圧と、短時間での同期捕捉、安定した同期保持及び低誤りの復調とを実現するパルス受信装置を提供する。【解決手段】受信アンテナ１０１で受信した通信パルス信号を、フィルタ１０２で妨害波信号１１２を抑圧し、かつ、復調回路１０３で復調するのに適するように帯域制限とパルス幅を変更し、出力された通過パルス信号を復調回路１０３に入力する。復調回路１０３では、検波器１０４でパルス位置を抽出し、相関器１０７に入力され、相関器１０７には、受信信号タイミングを決定するクロック源１０５からの信号も入力され、相関処理を行ない、その結果の信号より相関判定器１０８にて信号タイミングの誤差を判定し、遅延器１０６の遅延時間を調整し、受信信号のタイミングと、受信側装置の信号タイミングが一致した後、復調を開始する。【選択図】図１
2006229828.tif 000002
【特許請求の範囲】
【請求項１】
受信した通信パルス信号の周波数成分の少なくとも一部を帯域制限し、かつ、前記通信パルス信号のパルス幅を変更する通信パルスフィルタと、前記通信パルスフィルタを通過した通過パルス信号を前記パルス幅に基づいて復調する復調回路と、を含むパルス受信装置。
【請求項２】
前記通信パルスフィルタは、前記帯域制限する周波数成分を適宜変更するフィルタである請求項１記載のパルス受信装置。
【請求項３】
前記帯域制限する周波数成分の変更は、前記通信パルスフィルタを構成するインピーダンス可変素子の特性を変更することで実現する請求項２記載のパルス受信装置。
【請求項４】
前記帯域制限する周波数成分の変更は、前記帯域制限する周波数成分の異なる複数個の通信パルスフィルタを切り替えることで実現する請求項２または請求項３記載のパルス受信装置。
【請求項５】
前記通過パルス信号の周波数帯域を、受信開始時は狭くして前記復調回路で同期捕捉を行なった後、前記通過パルス信号の周波数帯域を広げて前記復調回路で同期を確立する請求項２乃至請求項４のいずれかに記載のパルス受信装置。
【請求項６】
前記通過パルス信号の周波数帯域を、受信開始時は広くして前記復調回路で同期捕捉を行なった後、前記通過パルス信号の周波数帯域を狭くして前記復調回路で復調する請求項２乃至請求項４のいずれかに記載のパルス受信装置。
【請求項７】
前記通信パルス信号の受信電力を検出する受信電力検出部をさらに含み、前記受信電力検出部で検出した受信電力が大きい場合は前記帯域制限する周波数成分を多くし、前記受信電力検出部で検出した受信電力が小さい場合は前記帯域制限する周波数成分を少なくする請求項２乃至請求項６のいずれかに記載のパルス受信装置。
【請求項８】
乱数を発生する乱数発生部をさらに含み、前記帯域制限する周波数成分の変更を前記乱数発生部が発生した乱数に基づいて適宜変更する請求項２乃至請求項４のいずれかに記載のパルス受信装置。
【請求項９】
前記復調回路は、相関処理の為の相関信号を生成する相関信号生成部と、前記通信パルスフィルタの特性と相関関係にある特性を有する相関信号フィルタと、前記相関信号フィルタを通過した相関信号で前記通過パルス信号を相関処理する相関器と、を含む請求項１乃至請求項８のいずれかに記載のパルス受信装置。
【請求項１０】
前記復調回路は、前記通過パルス信号から遅延用信号を分配する分配器と、前記分配器で分配した遅延用信号を所望の時間遅延させる遅延器と、前記遅延器で遅延させた遅延信号で前記分配器を通過した通過パルス信号を遅延検波する遅延検波器と、を含む請求項１乃至請求項８のいずれかに記載のパルス受信装置。
【発明の詳細な説明】
【技術分野】
【０００１】
本発明は、広帯域通信などに用いられる通信パルス信号を受信するパルス受信装置に関する。
【背景技術】
【０００２】
ＩＥＥＥ８０２．１１ｂに代表される無線ＬＡＮ機器の急速な広がりに加えて、ＡＶ機器やパーソナルコンピュータを相互に無線接続することによって、シームレスなネットワークが確立された社会が予想されており、その一つとして、パルス状の変調信号を用いたウルトラワイドバンド（Ｕｌｔｒａ  Ｗｉｄｅ  Ｂａｎｄ、以下ＵＷＢと記す）と呼ばれる通信方式が注目されている。
【０００３】
妨害波を抑圧し、かつ高速のデータ通信装置を安価に実現する技術の確立が急務となっている。
【０００４】
図１１は、従来のパルス受信装置の構成を示すものであり、スペクトラム拡散技術による通信方式において、バリアブルノッチフィルタ１１０３に妨害波検出回路１１０４からノッチ周波数を可変にできる制御信号を与え、妨害波を抑圧するパルス受信装置が開示されている（特許文献１参照）。
【特許文献１】特開平９−３２６７１３号公報
【発明の開示】
【発明が解決しようとする課題】
【０００５】
しかしながら、前記従来の構成では、妨害波を抑圧することはできるが、ＵＷＢなどの単パルスによる通信パルス信号を用いる通信に対して、妨害波による誤動作の抑圧と短時間での同期捕捉や安定した同期保持及び低誤りの復調とを関連付けて実現する技術は開示されていない。
【０００６】
本発明は、このような課題を解決するもので、妨害信号による誤動作の抑圧と、短時間での同期捕捉、安定した同期保持及び低誤りの復調とを実現するパルス受信装置を提供することを目的とする。
【課題を解決するための手段】
【０００７】
本発明のパルス受信装置は、受信した通信パルス信号の周波数成分の少なくとも一部を帯域制限し、かつ、通信パルス信号のパルス幅を変更する通信パルスフィルタと、通信パルスフィルタを通過した通過パルス信号をパルス幅に基づいて復調する復調回路とを含む構成を有している。
【０００８】
この構成により、通信パルスの拡散帯域の一部分を受信することによって、妨害信号の影響をなくすと共に、復調回路が復調処理するパルス信号のパルス幅を適切なパルス幅に設定して妨害信号をフィルタで分離することで、大きな電力レベルの妨害波を含まない信号を復調して受信精度を上げ、更に、フィルタで帯域制限することによって復調処理するパルス幅を広げて、同期捕捉等の必要精度を下げることにより、短時間での同期捕捉、安定した同期保持及び低誤りの復調とを実現することができる。
【０００９】
また、本発明のパルス受信装置は、通信パルスフィルタが、帯域制限する周波数成分を適宜変更するフィルタである構成を有している。この構成により、妨害信号の有無によって受信帯域を適宜変更して、その影響を低減するように最適化するともに、復調処理するパルス幅を広げたり、狭めたりすることによって同期捕捉等の必要精度を下げたり、高い同期精度による通信の高速化及び安定化をはかったりすることができる。
【００１０】
また、本発明のパルス受信装置は、帯域制限する周波数成分の変更を、通信パルスフィルタを構成するインピーダンス可変素子の特性を変更することで実現する構成を有している。この構成により、容易にフィルタの通過帯域を変更できる。
【００１１】
また、本発明のパルス受信装置は、帯域制限する周波数成分の変更を、帯域制限する周波数成分の異なる複数個の通信パルスフィルタを切り替えることで実現する構成を有している。この構成により、容易にフィルタの通過帯域を変更できる。
【００１２】
また、本発明のパルス受信装置は、通過パルス信号の周波数帯域を、受信開始時は狭くして復調回路で同期捕捉を行なった後、通過パルス信号の周波数帯域を広げて復調回路で同期を確立する構成を有している。この構成により、受信開始時は狭帯域通信信号による妨害を抑圧し、同期捕捉も広いパルスで緩やかに行ない、その後、狭いパルスによる高精度の同期確立を行ない高速通信を実現できる。
【００１３】
また、本発明のパルス受信装置は、通過パルス信号の周波数帯域を、受信開始時は広くして復調回路で同期捕捉を行なった後、通過パルス信号の周波数帯域を狭くして復調回路で復調する構成を有している。この構成により、受信開始時は大きな電力を受信して同期捕捉用に大きな振幅の信号を用い、その後、占有帯域を狭くすることで、同一システムを含む他の装置からの影響を少なくできる。
【００１４】
また、本発明のパルス受信装置は、通信パルス信号の受信電力を検出する受信電力検出部をさらに含み、受信電力検出部で検出した受信電力が大きい場合は帯域制限する周波数成分を多くし、受信電力検出部で検出した受信電力が小さい場合は帯域制限する周波数成分を少なくする構成を有している。この構成により、受信電力が大きい時は通過帯域を狭くして過度の入力を防ぎ、受信電力が小さい時は通過帯域を広くしてより大きな受信電力を得られるようにでき、受信品質を安定化できる。
【００１５】
また、本発明のパルス受信装置は、乱数を発生する乱数発生部をさらに含み、帯域制限する周波数成分の変更を乱数発生部が発生した乱数に基づいて適宜変更する構成を有している。この構成により、妨害波が入力される時間を短く、ランダム化することで、復調品質の劣化を小さくできる。
【００１６】
また、本発明のパルス受信装置は、復調回路が、相関処理の為の相関信号を生成する相関信号生成部と、通信パルスフィルタの特性と相関関係にある特性を有する相関信号フィルタと、相関信号フィルタを通過した相関信号で通過パルス信号を相関処理する相関器とを含む構成を有している。この構成により、妨害波をより強く抑圧することができる。
【００１７】
さらに、本発明のパルス受信装置は、復調回路が、通過パルス信号から遅延用信号を分配する分配器と、分配器で分配した遅延用信号を所望の時間遅延させる遅延器と、遅延器で遅延させた遅延信号で分配器を通過した通過パルス信号を遅延検波する遅延検波器とを含む構成を有している。この構成により、通信パルス用フィルタと相関信号用フィルタを兼用し、妨害波をより強く抑圧することができる。
【発明の効果】
【００１８】
本発明は、受信した通信パルス信号の周波数成分の少なくとも一部を帯域制限し、かつ、通信パルス信号のパルス幅を変更する通信パルスフィルタと、通信パルスフィルタを通過した通過パルス信号を前記パルス幅に基づいて復調する復調回路とを設けることにより、通信パルスの拡散帯域の一部分を受信することによって、妨害信号の影響をなくすと共に、復調回路が復調処理するパルス信号のパルス幅を適切なパルス幅に設定して妨害信号をフィルタで分離することで、大きな電力レベルの妨害波を含まない信号を復調して受信精度を上げ、更に、フィルタで帯域制限することによって復調処理するパルス幅を広げて、同期捕捉等の必要精度を下げることにより、短時間での同期捕捉、安定した同期保持及び低誤りの復調とを実現することができるという効果を有するパルス受信装置を提供することができるものである。
【発明を実施するための最良の形態】
【００１９】
以下、本発明の実施の形態のパルス受信装置について、図面を用いて説明する。
【００２０】
（実施の形態１）
図１は、本発明の実施の形態１におけるパルス受信装置の構成を示すブロック図、周波数特性を示す図および信号波形を示す図である。図１において、受信アンテナ１０１で受信した通信パルス信号は、フィルタ１０２で適当な周波数帯域の信号のみを取り出し（帯域制限）、復調回路１０３に入力される。復調回路１０３に入力された通過パルス信号（受信信号とも記す）は、検波器１０４でパルス位置を抽出し、相関器１０７に入力される。
【００２１】
相関器１０７には、受信信号のタイミングを決定するクロック源１０５からの信号も入力され、相関処理を行ない、その結果の信号より相関判定器１０８にて信号タイミングの誤差を判定し、許容誤差以上のタイミングずれがあった場合は遅延器１０６の遅延時間を調整し、受信信号のタイミングと、受信側装置の信号タイミングが一致するまでこれを繰り返す。このタイミングが一致した後、後段（図示せず）で復調を開始する。
【００２２】
図１（ｂ）〜（ｅ）を用いてパルス受信装置各部での信号を説明する。図１（ｂ）は受信電力の周波数特性を示しており、所望波信号１１１と狭帯域の妨害波信号１１２が存在することを示す。フィルタ１０２の周波数特性がフィルタ特性１１３であり、これを用いることで妨害波信号１１２を含まない信号が復調回路１０３に入力される。例えば図１（ｃ）に示すような送信信号がパルス送信装置（図示せず）より出力された場合、パルス受信装置では、近接する他の狭帯域通信装置からの妨害波信号１１２を含む、例えば図１（ｄ）に示すような信号を受信する。
【００２３】
この例では図１（ｃ）の送信パルス信号に、連続的な妨害波信号１１２が加わっているため、雑音電力があがったような受信信号波形となっている。この信号をそのまま復調すると、信号の復調誤りが起き易くなり、受信性能、例えば、感度が劣化する。そのため、妨害波信号を含まない帯域の信号をフィルタ１０２で取り出すことで、図１（ｅ）に示すような信号を生成し、これを復調することで信号の復調誤りを低減することができる。また、図１（ｅ）の信号は図１（ｃ）に示す信号と比べ、パルス幅が広いため、信号の検出及び同期が容易になり、同期捕捉時間を短縮することもできる。
【００２４】
以上のパルス受信装置の構成に示すように、受信パルスの一部分を受信するフィルタの特性を適切に設定することで帯域制限し、妨害信号による誤動作の抑圧と、同期・復調処理に適した受信パルス幅設定を行うことで、短時間での同期捕捉、安定した同期保持及び低誤りの復調を実現可能なパルス受信装置を実現できる。
【００２５】
なお、以上の説明では常時フィルタによる帯域制限を行なう構成について説明したが、例えば切替スイッチ等を用いて、適宜帯域制限の有無を切り替える構成としてもよい。また、フィルタのタイプは、バンドパスフィルタ（ＢＰＦ）に限定されることなく、ローパスフィルタ（ＬＰＦ）、ハイパスフィルタ（ＨＰＦ）、あるいは、ノッチフィルタでもよい。
【００２６】
また、通信に用いる変調方式について記載をしていないが、通信方式による限定はなく、例えば、ＯＯＫ（Ｏｎ−Ｏｆｆ  ｋｅｙｉｎｇ）、ＢＰＳＫ（Ｂｉｐｈａｓｅ  Ｓｈｉｆｔ  ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、ＰＰＭ（Ｐｕｌｓｅ  Ｐｏｓｉｔｉｏｎ  Ｍｏｄｕｌａｔｉｏｎ）等を用いてもよい。
【００２７】
また、ＢＰＳＫやＱＰＳＫ等の位相に情報が存在する変調方式を用いた場合は、本実施の形態にて記載したパルス振幅のみを検出する回路ではなく、例えば同期検波構成、遅延検波構成等が必要になることは言うまでもない。さらに、以上の説明ではパルス受信装置としての逆拡散処理、及びこれらを実現するための回路機能について記載していないが、適宜これを実現するブロックを搭載することでスペクトル拡散通信機能を実現できることは言うまでもない。
【００２８】
（実施の形態２）
図２は、本発明の実施の形態２におけるパルス受信装置の構成を示すブロック図である。実施の形態１と異なるのは、フィルタを帯域可変として適宜変化させることができる構成としている点である。
【００２９】
図２の復調回路２０１では、検波器１０４の出力をもとに妨害波検出器２０２が妨害波の存在を検出し、これが含まれない帯域の信号を受信するように帯域可変フィルタ２０２の帯域を変更する制御を行なう。図３は、本実施の形態のパルス受信装置における帯域可変フィルタの帯域変更のイメージを示す図である。例えば、受信開始時のフィルタ特性はフィルタ特性３０１ａとなっており、妨害波信号１１２が含まれる帯域を受信する設定になっているため、帯域可変フィルタ２０２を通過した通過パルス信号を復調しても、復調回路２０１では復調誤りが多く発生する。そこで妨害波検出器２０３の制御によって帯域可変フィルタ２０２の特性をフィルタ特性３０１ｂに変更することによって、復調回路２０１は、通過パルス信号として妨害波の存在しない信号を復調することができ、誤りの少ない復調ができるようになる。
【００３０】
なお、図２ではフィルタを構成する容量成分を可変としてフィルタ特性を変化させる例を示したが、図４に示すように異なる周波数特性を有する複数のフィルタ４０３ａ〜ｃと切替器４０２ａ、ｂにより帯域可変フィルタ４０１を構成し、任意のフィルタを選択することで受信帯域を変化できるように構成しても良い。なお、本発明は、後述する他の実施の形態を含め、帯域可変フィルタ２０２はＢＰＦに限定されることなく、また、帯域可変フィルタ４０１はノッチフィルタに限定されることはない。
【００３１】
図５は、本実施の形態における帯域可変フィルタの帯域切り替えの動作を示すフロー図である。この例では、受信帯域を複数の小さな帯域に分割して、フィルタタイプはＢＰＦで、フィルタの帯域を切り替えて夫々を選択する動作となっている。
【００３２】
受信が開始されると、受信帯域を、例えば１番目に設定し（Ｓ５０１、Ｓ５０２）、この帯域での信号を検出する（Ｓ５０３）。ここで信号が検出されれば（Ｓ５０３のＹｅｓ）同期捕捉を開始し（Ｓ５０４）、検出できなければ（Ｓ５０３のＮｏ）受信帯域を２番目に設定し（Ｓ５０５、Ｓ５０２）、信号の検出を行なう（Ｓ５０３）。信号の検出ができるまで受信帯域を変更していく。なお、全ての受信帯域で信号の検出を行なっても信号の検出ができなかった場合は、再度１番目から信号の検出を行なう。
【００３３】
同期捕捉のための相関処理が開始されると（Ｓ５０４）、相関の検出ができるまで遅延時間を変化させる（Ｓ５０６〜Ｓ５０８）。相関が検出された後（Ｓ５０７のＹｅｓ）、次に受信帯域を１帯域ずつ広げていくことで、受信信号のパルス幅を狭め、より時間精度の高い同期を確立する（Ｓ５０９、Ｓ５１０）。なお、妨害波、雑音、マルチパス等の影響で相関が検出できなくなった場合は、受信帯域を広げるのをやめる（Ｓ５１１、Ｓ５１２）ことで最も相関のよい受信帯域でデータの復調を開始する。
【００３４】
以上のパルス受信装置の構成に示すように、受信開始時とその後で、通信パルス信号を通過させる帯域とパルス幅を変化させて通過パルス信号を復調することで、妨害信号による誤動作の抑圧と、同期・復調処理に適した受信パルス幅制御を行うことで、短時間での同期捕捉、安定した同期保持及び低誤りの復調とが実現可能なパルス受信装置を実現できる。
【００３５】
なお、受信開始時の受信帯域を１番目に設定する場合で説明したが、本発明は、毎回、受信開始時の受信帯域を同じ番号に設定すると限定することなく、学習機能により、受信開始時の受信帯域番号を変更できるようにしてもよい。
【００３６】
（実施の形態３）
図６は、本発明の実施の形態３におけるパルス受信装置の帯域切り替え動作を示すフロー図である。実施の形態２と異なるのは、受信開始時に最も広い受信帯域を設定し、適宜帯域を狭めるように動作させている点である。
【００３７】
図６において、受信が開始されると、受信帯域数を全数に設定し（Ｓ６０１）、この帯域での信号を検出する（Ｓ６０２）。ここで信号が検出されれば（Ｓ６０２のＹｅｓ）同期捕捉を開始し（Ｓ６０３）、検出できなければ（Ｓ６０２のＮｏ）適当な時間経過後（Ｓ６０４）、再度信号の検出を行なう（Ｓ６０２）。信号の検出ができるまで信号検出を繰り返していく。同期捕捉のための相関処理が開始されると（Ｓ６０３）、相関の検出ができるまで遅延時間を変化させる（Ｓ６０５〜Ｓ６０７）。
【００３８】
相関が検出された後（Ｓ６０６のＹｅｓ）、次に受信帯域を１帯域ずつ狭めていくことで、受信に必要とする帯域を縮小し、他機器からの信号をアンテナで受信してもその影響を低減することができる（Ｓ６０８、Ｓ６０９）。なお、妨害波、雑音、マルチパス等の影響で相関が検出できなくなった場合は、受信帯域を狭めるのをやめて最も相関のよい受信帯域でデータの復調を開始する（Ｓ６１０、Ｓ６１１）。
【００３９】
以上のパルス受信装置の構成に示すように、受信開始時とその後で、通信パルス信号の周波数成分の一部を帯域制限する帯域とパルス幅とを変化させて通過パルス信号を得ることで、妨害信号による誤動作の抑圧と、同期・復調処理とに適した受信パルス幅制御を行い、短時間での同期捕捉、安定した同期保持及び低誤りの復調を実現可能なパルス受信装置を実現できる。
【００４０】
なお、本発明は、受信帯域数を順次狭めていく場合の通過帯域中心周波数は、順次変化していく場合に限定せず、固定してもよい。また、本発明は、毎回、受信開始時の受信帯域数を最大にするように限定することなく、学習機能により、受信開始時の受信帯域数を変更できるようにしてもよい。
【００４１】
（実施の形態４）
図７は、本発明の実施の形態４におけるパルス受信装置の帯域切り替え動作を示すフロー図である。実施の形態２と異なるのは、受信開始時に最も広い受信帯域を設定し、受信電力を適正な値にするために適宜帯域を変化するように動作させている点である。
【００４２】
図７において、受信が開始されると、受信帯域数を全数に設定し（Ｓ７０１、Ｓ７０２）、この帯域での信号を検出する（Ｓ７０３）。ここで信号レベルの検出を行い（Ｓ７０４）、適正な値であれば（Ｓ７０４の適正レベル）同期捕捉を開始し（Ｓ７０５）、適正な値を超える場合は（Ｓ７０４の過入力）受信帯域数を１つ減らす（Ｓ７０６）。信号レベルが適正な値になるまで受信帯域を減らしていく。同期捕捉のための相関処理が開始されると（Ｓ７０５）、相関の検出ができるまで遅延時間を変化させる（Ｓ７０７〜Ｓ７０９）。
【００４３】
相関が検出された後（Ｓ７０８のＹｅｓ）、次に受信帯域を１帯域ずつ狭めていくことで、受信に必要とする帯域を縮小し、他機器からの信号をアンテナで受信してもその影響を低減することができる（Ｓ７１０、Ｓ７１１）。なお、妨害波、雑音、マルチパス等の影響で相関が検出できなくなった場合は、受信帯域を狭めるのをやめて最も相関のよい受信帯域でデータの復調を開始する（Ｓ７１２、Ｓ７１３）。
【００４４】
以上のパルス受信装置の構成に示すように、受信開始時とその後で、受信した通信パルス信号を通過させる帯域とパルス幅をフィルタで変化させることで受信電力制御を行い、復調回路において適切な受信電力レベルで同期・復調処理を行なうことで、短時間での同期捕捉、安定した同期保持及び低誤りの復調を実現可能なパルス受信装置を実現できる。
【００４５】
なお、本発明は、他の実施の形態と同様に、毎回、受信開始時の受信帯域数を最大にするように限定することなく、学習機能により、受信開始時の受信帯域数を変更できるようにしてもよい。
【００４６】
（実施の形態５）
図８は、本発明の実施の形態５におけるパルス受信装置の構成を示すブロック図である。実施の形態１及び２と異なるのは、フィルタの帯域を適当な乱数を用いてランダムに変化させている点である。
【００４７】
図８において、受信アンテナ１０１で受信された信号は、帯域可変フィルタ８０１に入力され、任意の帯域の信号が阻止されて出力される。なお、本実施の形態ではトラップフィルタの場合で説明するが、これに限定されず、任意の帯域の信号のみが通過するようにしてもよい。帯域可変フィルタ８０１の出力は検波器１０４に入力され、相関器１０７、相関判定器１０８、遅延器１０６を用いてクロック源１０５の出力信号との同期を確立し、復調データを出力する。ここで、帯域可変フィルタ８０１は前述の通り帯域可変であるが、その帯域は乱数発生８０２によって決定され、他の実施の形態の場合とは異なり、妨害波検出、受信信号レベル、あるいは受信パルス幅とは関係が無いように構成されている。
【００４８】
以上のパルス受信装置の構成に示すように、受信パルスを受信する帯域をランダムに変化させることで、周波数帯域に依存する、妨害波、マルチパス等の影響を拡散して抑圧し、妨害波、マルチパス等の影響の小さな受信信号で同期・復調処理を行なうことで、短時間での同期捕捉、安定した同期保持及び低誤りの復調を実現可能なパルス受信装置を実現できる。
【００４９】
なお、上記実施の形態では、帯域可変フィルタ８０１で、通過及び阻止する帯域をランダムに変化させる構成で説明したが、通過及び阻止する帯域を同時に設定することも同様に実施可能であり、更に、帯域可変フィルタ８０１で、受信帯域幅をランダムに変化させても同様に実施可能である。
【００５０】
（実施の形態６）
図９は、本発明の実施の形態６におけるパルス受信装置の構成を示すブロック図である。実施の形態１、２、５と異なるのは、復調回路に同期検波機能を搭載し、波形相関用の信号にも受信信号と同様のフィルタ制御を行なうことで、より相関度の高い波形相関を行なっている点である。
【００５１】
図９において、受信アンテナ１０１で受信した通信パルス信号は帯域可変フィルタ９０１ａで帯域制御器９０７で制御される周波数帯域の信号のみが通過パルス信号として出力され、波形相関器９０５に入力される。波形相関器９０５、波形相関判定器９０６、遅延器９０４、波形相関信号発生器９０３は同期検波機能を実現する回路ブロックであり、波形相関信号発生器９０３で発生した波形相関信号と通過パルス信号のタイミングを調整して同期させることによって同期検波を行なう。この際に、波形相関信号を通過パルス信号と同様の帯域可変フィルタ９０１ｂで帯域制限を行なうことで通過パルス信号と同様の波形変換を行い、より相関の高い信号が出力される。なお、帯域可変フィルタ９０１ａ、ｂの帯域の制御は、帯域制御器９０７にて行なわれる。
【００５２】
以上のパルス受信装置の構成に示すように、受信パルスを同期検波する際に、波形相関信号も通過パルス信号と同様の帯域制限を行なうことで、同様の波形変換を行い、より高い相関の信号とすることで、妨害波、雑音、マルチパス等の影響を大きく抑圧し、これらの影響の小さな受信信号で同期・復調処理を行なうことで、短時間での同期捕捉、安定した同期保持及び低誤りの復調を実現可能なパルス受信装置を実現できる。
【００５３】
なお、上記実施の形態では同期検波の構成を用いて説明したが、図１０に他の実施の形態を示す。図１０は、本発明の他の実施の形態におけるパルス受信装置の構成を示すブロック図である。図９の構成とは、分配器１００２を備え、一方、帯域可変フィルタ９０１ｂ、波形相関信号発生器９０３を有しない点が異なる。
【００５４】
図１０において、帯域可変フィルタ９０１ａの出力である通過パルス信号を分配器１００２で遅延用信号を分配し波形相関判定器９０６の判定結果に基づいて遅延器１００３での遅延量を設定して波形相関器９０５で遅延検波をすることで、復調回路１００１内の帯域可変フィルタを不要としても図９と同様に実施可能である。
【産業上の利用可能性】
【００５５】
以上のように、本発明にかかるパルス受信装置は、通信パルスの拡散帯域の一部分を受信することによって、妨害信号の影響をなくすと共に、復調回路が復調処理するパルス信号のパルス幅を適切なパルス幅に設定して妨害信号をフィルタで分離することで、大きな電力レベルの妨害波を含まない信号を復調して受信精度を上げ、更に、フィルタで帯域制限することによって復調処理するパルス幅を広げて、同期捕捉等の必要精度を下げることにより、短時間での同期捕捉、安定した同期保持及び低誤りの復調とを実現することができるという効果を有し、広帯域通信などに用いられる通信パルス信号を受信するパルス受信装置などとして有用である。
【図面の簡単な説明】
【００５６】
【図１】本発明の実施の形態１におけるパルス受信装置の構成を示すブロック図、周波数特性を示す図および信号波形を示す図
【図２】本発明の実施の形態２におけるパルス受信装置の構成を示すブロック図
【図３】本発明の実施の形態２におけるパルス受信装置の帯域可変フィルタの帯域変更イメージを示す図
【図４】本発明の実施の形態２におけるパルス受信装置の帯域可変フィルタを示すブロック図
【図５】本発明の実施の形態２におけるパルス受信装置の動作を示すフロー図
【図６】本発明の実施の形態３におけるパルス受信装置の動作を示すフロー図
【図７】本発明の実施の形態４におけるパルス受信装置の動作を示すフロー図
【図８】本発明の実施の形態５におけるパルス受信装置の構成を示すブロック図
【図９】本発明の実施の形態６におけるパルス受信装置の構成を示すブロック図
【図１０】本発明の他の実施の形態におけるパルス受信装置の構成を示すブロック図
【図１１】従来のパルス受信装置の構成を示すブロック図
【符号の説明】
【００５７】
１０１  受信アンテナ
１０２、４０３ａ、４０３ｂ、４０３ｃ  フィルタ
１０３、２０１、９０２、１００１  復調回路
１０４  検波器
１０５  クロック源
１０６、９０４、１００３  遅延器
１０７  相関器
１０８  相関判定器
１１１  所望波信号
１１２  妨害波信号
１１３、３０１ａ、３０１ｂ  フィルタ特性
２０２、４０１、８０１、９０１ａ、９０１ｂ  帯域可変フィルタ
２０３  妨害波検出器
４０２ａ、４０２ｂ  切替器
８０２  乱数発生器
９０３  波形相関信号発生器
９０５  波形相関器
９０６  波形相関判定器
９０７  帯域制御器
１００２  分配器
【図１】
2006229828.tif 000003
【図２】
2006229828.tif 000004
【図３】
2006229828.tif 000005
【図４】
2006229828.tif 000006
【図５】
2006229828.tif 000007
【図６】
2006229828.tif 000008
【図７】
2006229828.tif 000009
【図８】
2006229828.tif 000010
【図９】
2006229828.tif 000011
【図１０】
2006229828.tif 000012
【図１１】
2006229828.tif 000013